(57)【要約】      （修正有）【課題】屋上やベランダ等の人口構造物に土壌材を敷き詰めて構築する緑化施設において、障害物を避け、曲げて土壌材中に埋設して配管することが可能な排水管を提供する。【解決手段】人口構造物に土壌材を敷き詰めた緑化施設に埋設される排水管１を、樹脂製の多孔管状体２と、その多孔管状体２の表面を覆う樹脂製の管状不織布３とより形成した。その管状不織布３は、不織布の重合部４を熱融着して形成した。【選択図】図１
0003143867.tif 000002
【実用新案登録請求の範囲】
【請求項１】
土壌中に埋設される排水管において、樹脂製の多孔管状体と、その多孔管状体の表面を覆う樹脂製の管状不織布とからなり、その管状不織布はその幅端部の重合部が熱融着されて封筒貼り状に形成されたことを特徴とする排水管。
【請求項２】
前記樹脂製の多孔管状体は、その材質がポリオレフィン系樹脂であることを特徴とする請求項１に記載の排水管。
【請求項３】
前記不織布を形成する繊維は、芯材と鞘管とからなる芯鞘型の繊維からなることを特徴とする請求項２に記載の排水管。
【考案の詳細な説明】
【技術分野】
【０００１】
本考案は、土壌中に埋設される排水管に関する。更に詳しくは、屋上やベランダ等の人口構造物に土壌材を敷き詰めて構築する緑化施設において、配管することに好適な排水管に関する。
【背景技術】
【０００２】
土壌水を排出するために、多孔性の材料で形成された排水管を土壌中に埋設することが広く行われている。
特許文献１には、緑化施設に用いられる排水管が開示されている。この排水管は、熱可塑性樹脂繊維からなる不織布を筒状に成形したもので、不織布のみから形成されたにも拘らず圧縮強度が３０ｋｇ／１０ｃｍ以上のものであるとされている。
【０００３】
特許文献２には、排水を要する土木工事現場で用いられる排水管であって、熱融着性複合繊維が熱融着により円筒状に形成され、人間が踏みつけても凹まない硬い排水管が開示されている。そして、この排水管は、短尺な単体を施工現場で簡単に長尺かつ立体的に連結できることを特徴としている。
【０００４】
また、特許文献３には、多孔管状体の内部に、それより短径の透水機能を有する管状体を、挿脱自在に挿入した排水管が提案されている。そのため、この排水管は点検が容易であり、長期に亘って排水性能を発揮するとされている。
【特許文献１】特開平８−２６６１４９号公報（［００２２］を参照）
【特許文献２】特開平７−４８８２４号公報（［要約］を参照）
【特許文献３】特開２００５−２３３２０２号公報（［要約］を参照）
【考案の開示】
【考案が解決しようとする課題】
【０００５】
近年、地球温暖化を防止するための環境改善の一環として、一般家屋のベランダやビルディングの屋上等において、土壌材を敷き詰めた緑化施設を設けることが行われている。そのような緑化施設は非透水性の工事が施工された面に土壌材が敷き詰められる場合が多く、必然的に排水設備が必須となる。その排水設備に排水管が用いられる。しかし、ビルディングの屋上等は、必ずしも平坦な面ではなく、むしろ様々な施設や装置が設置され、排水管の配管に対する障害物が点在する。
【０００６】
そのような障害物を避けて排水管を曲げて配管しようとしても、特許文献１に提案されている排水管を用いることは、例えばその圧縮強度の高さ等のために硬く、難しい。また、特許文献２に提案されている排水管を用いれば、短尺な単体を立体的に連結できるので、障害物を避ける配管は可能である。しかし、複数の単体の連結作業のために、施工に工数がかかる事は避け難い。さらに、特許文献３に提案されている排水管は構造が複雑でコスト高になる。
【０００７】
宅地、農地、工場用地、グラウンド、道路、大規模な緑化施設等の土木構築物造成地において埋設される排水管は、一般家屋のベランダやビルディングの屋上等において、土壌材を敷き詰めた緑化施設に用いられる排水管とは求められる機能が異なるものである。即ち、前者の排水管は踏み固められても容易に変形しない強度が求められ、後者の排水管は、強度よりも適度な曲げやすさが求められるのである。
【０００８】
本考案は、このような問題に着目してなされたものであり、その目的とするところは、土壌材を屋上やベランダ等の人口構造物に敷き詰めて構築する緑化施設に好適な排水管を提供することにある。
【課題を解決するための手段】
【０００９】
上記問題を解決するために請求項１に記載の排水管の考案は、土壌中に埋設される排水管において、樹脂製の多孔管状体と、その多孔管状体の表面を覆う樹脂製の管状不織布とからなり、その管状不織布はその幅端部の重合部が熱融着されて封筒貼り状に形成されたことを特徴とするものである。
【００１０】
請求項２に記載の考案は、請求項１に記載の排水管において、前記樹脂製の多孔管状体は、その材質がポリオレフィン系樹脂であることを特徴とするものである。
請求項３に記載の考案は、請求項２に記載の排水管において、前記不織布を形成する繊維は、芯材と鞘管とからなる芯鞘型の繊維からなることを特徴とするものである。
【００１１】
（作用）
樹脂製の不織布は、厚さが比較的薄く、融点が低いものについては、不織布どうしを重ねて熱融着することが可能である。本考案の管状不織布は、樹脂製の多孔管状体を被覆するときに、不織布の幅端部を重ね合わされて重合部を形成し、その重合部において熱融着されている。そのため、不織布の幅端部が排水管の外周面から起立することがないので、全体径が多孔管状体の外径と略等しくなる。従って、排水管を土壌材中に埋設して配管する際、不織布の幅端部を、例えば障害物に引っ掛けることが防止される。
【００１２】
また、本考案の樹脂製の多孔管状体は、容易に曲げることができる。そのため、障害物を避けたりするために、短尺な排水管を連結して経路を変更する必要もなく、排水管を曲げて配管することが可能である。
【００１３】
従って、屋上やベランダ等の人口構造物に土壌材を敷き詰めて、緑化施設を構築する際、屋上等に設置されている様々な施設や装置等の状況に応じて、必要に応じて排水管を曲げて土壌材中に配管することが容易となる。
【考案の効果】
【００１４】
本考案によれば、屋上やベランダ等の人口構造物に土壌材を敷き詰めて構築する緑化施設において、経路を曲げて土壌材中に埋設して配管することが可能な排水管を提供することができる。
【考案を実施するための最良の形態】
【００１５】
（第１の実施形態）
以下、本考案を具体化した排水管１の実施形態を、図１を用いて説明する。
図１に示すように、本実施形態の樹脂製の多孔管状体２は、ポリエチレン製の網状体を管状に成形したものである。その成形は公知の技術を用いることで容易に行われる。例えば、ポリエチレン製の加熱状態の管状の網状体を、金属製の中芯上で冷却して、中芯から引き抜くことで成形することができる。このとき、ポリエチレン製の網状体の厚さや網目の度合い（大きさ、形）を適宜選択することにより、多孔管状体２の曲げ強度を曲げて配管できる範囲の強さにすることが望ましい。そうすることで、後述するように多孔管状体２を管状不織布３で被覆した排水管１を、直線状ばかりでなく、曲がった経路に沿って配管することが容易となる。また、同様の理由で多孔管状体２の直径を１０〜５０ｍｍの範囲で選択することが好ましい。なお、多孔管状体２を形成する際に、ポリエチレン製の網状体を用いたが、ポリオレフィン系の他の樹脂、例えばポリエチレンを用いることもできる。
【００１６】
樹脂製の多孔管状体２を被覆する管状不織布３は、帯状である不織布の幅端部の重合部４が熱融着されて形成されている。その形成は、先ず、帯状の不織布を多孔管状体２の軸方向に沿って配置し、不織布を多孔管状体２に被覆する。そして、不織布の幅端部を重ね合わせた重合部４を加熱して熱融着し、多孔管状体２を被覆する管状不織布３が成形される。なお、図１に示す排水管１は、理解を容易にするため、管状不織布３の一部を剥離した状態として表されている。
【００１７】
このとき、必ずしも重合部４の全体を熱融着する必要はなく、少なくとも不織布の端部４ａが剥がれない程度に熱融着されていればよい。また、重合部４に対する加熱により、重合部４の内側に位置する不織布の内面と多孔管状体２の表面とが部分的に熱融着されるようにしてもよい。
【００１８】
また、ここで用いられた不織布を形成する繊維は、融点が１２０度Ｃ以下のものが好ましく。ポリエチレン製繊維又はポリプロピレン製繊維よりなる単繊維、ポリエチレン製繊維又はポリプロピレン製繊維の芯材とポリエチレン製鞘管とからなる芯鞘型の繊維のいずれでも適宜選択して用いることができる。そして、その不織布の目付は、４０〜１４０ｇ／ｍ２であることが望ましく、６０〜８０ｇ／ｍ２であることがより好ましい。この範囲の目付の不織布を採用することにより、十分な排水が可能であると共に、ベランダや屋上等の緑化施設に好適に用いられる土壌材の細かな成分の流出が防止される。
【００１９】
従って、上記実施形態の排水管によれば、以下のような効果を得ることができる。
（１）上記実施形態では、管状不織布３は、樹脂製の多孔管状体２の軸方向に沿って被覆され、幅端部の重合部４で熱融着されている。従って、簡単な工程で多孔管状体２に対する管状不織布３の被覆が行われ、しかも管状不織布３の外周面から不織布の端部４ａが起立することがなく、全体径が多孔管状体２の外径と略等しくなる。そのため、障害物などに端部４ａを引っ掛けることなく土壌材中に配管できる排水管１を提供できる。
【００２０】
（２）上記実施形態では、ポリエチレン製の網状体を用いて樹脂製の多孔管状体２を形成し、その多孔管状体２の曲げ強度を曲げて配管できる範囲の強さになるようにした。そのため、多孔管状体２を管状不織布３で被覆した排水管１を、直線状ばかりでなく、曲がった経路に沿って曲げて配管することができる。逆に、多孔管状体２として、曲げ強度の強いものを用いれば、排水管１の変形を防止できて、重い敷石の下に配管するような場合に都合がよい。
【００２１】
（３）上記実施形態では、管状不織布３を形成する不織布の目付を、４０〜１４０ｇ／ｍ２であるようにした。また、更に好ましい不織布の目付を、６０〜８０ｇ／ｍ２であるようにした。この範囲の目付の不織布を用いた管状不織布３により樹脂製の多孔管状体２を被覆することで、十分な排水が可能であると共に、ベランダや屋上等の緑化施設に好適に用いられる土壌材の細かな成分の流出が防止される排水管１を提供できる。
【００２２】
（第２の実施形態）
次に、本考案を具体化した排水管１の第２の実施形態を、第１実施形態と異なる部分を中心に図２を用いて説明する。なお、図２に示す排水管１は、図１と同様に、理解を容易にするため、管状不織布３の一部を剥離した状態として表されている。
【００２３】
図２に示すように、本実施形態の排水管１において、樹脂製の多孔管状体２を被覆する管状不織布３は、帯状である不織布が多孔管状体２の外周に幅端部を重ねながら螺旋状に巻かれている。そして、重合部５において熱融着されている。このように不織布を多孔管状体２の外周に螺旋状に巻きつけるようにすれば、長尺の排水管１を製造することがより容易に行い得るようになる。
【００２４】
（変更例）
なお、上記両実施形態は以下のように変更してもよい。
・上記実施形態では、ポリエチレン製の網状体を用いて樹脂製の多孔管状体２を形成したが、網状体に替えて、多孔状板体を用いて多孔管状体２を形成してもよい。また、ポリエチレンに替えて、他の種類のプラスチック製の網状体や多孔状板体を用いるようにしてもよい。
・上記実施形態では、多孔管状体２の断面形状を円形としたが、断面形状は円形に限らず、長円、直角四辺形又はその他の多角形であってもよい。
【図面の簡単な説明】
【００２５】
【図１】本考案の第１実施形態を模式的に示す斜視図。
【図２】本考案の第２実施形態を模式的に示す斜視図。
【符号の説明】
【００２６】
１…排水管、２…多孔管状体、３…管状不織布、４、５…重合部、４ａ…端部。
【図１】
0003143867.tif 000003
【図２】
0003143867.tif 000004